(57)【特許請求の範囲】
【請求項１】
互いに剛直に接続され、平坦な表面を有する物に剛直接続を提供しようとするブラケットとケーブルクランプの組合体であって、ブラケットは剛直で４つの部分、すなわち２つの端部部分および２つの中央部分を備え、各部分はそれぞれの隣接する部分に対して交差するように延び、それらの部分のすべては共に剛直に接続された組合体であり、
２つの端部部分の各々は、他方の端部部分の平坦表面へ交差するように延びる平坦表面を備え、
第１の端部部分は、隣接する中央部分から離れた位置においてそれを完全に貫通して延びる少なくとも１つの開口と、隣接する中央部分に近い位置において貫通している２つのケーブル開口を備え、
第２の端部部分は、それを完全に貫通して延びる少なくとも２つの開口を備え、
ブラケットの第１の中央部分は、それを完全に貫通して延びる解放開口を備え、
第２の中央部分は第１の中央部分と交差し、それを完全に貫通して延びる２つのケーブル開口を有しており、
前記組合体は、
相対する実質的に平坦な端部表面とこれに連なる交差する表面を有し、ブラケットの第１の端部部分と第２の中央部分との間にぴったりと嵌りこれらの間の所定位置に剛直に保持されるケーブルクランプと、
ケーブルクランプおよびケーブルクランプの各端面を通る開口を通って延びるケーブルチャンネルと、
前記ケーブルチャンネルを通過するケーブルを把持するように、ケーブルクランプ内でケーブルチャンネルに隣接しているバネ付勢されたクランプクラッチと、
クランプクラッチによる把持を解放するためにリクランプクラッチに操作可能に接続されクランプの側面から解放開口を通して横切るように延び、クランプがブラケットの第１の端部部分の表面と第２の中央部分の表面の間の所定位置に剛直に保持された場合に第１の中央部分に開けられた解放開口を通して延びるように隣接している解放用突起とを備え、
ブラケットの第１の端部部分と第２の中央部分を通って延びるケーブル用開口は、ケーブルクランプが第１の端部部分の表面と第２の中央部分の表面の間の所定位置に剛直に保持された場合に、クランプの端部におけるケーブルチャンネル開口と整合され、解放用突起が解放開口を通って延び、
ブラケットは吊り下げられる物の平坦な交差面に剛直に接続されるように設計され適合され、ここで第１の端部部分の表面は吊り下げる物の下面を支持するためにその物の下に延び、第２の端部部分の表面は吊り下げられる物の側面に接触し、これにより２つの表面がダクト表面に剛直に接続されると共に吊り下げられる物の側面の一つの近傍の位置にケーブルクランプを剛直に保持し、吊り下げられる物の所定位置に固定された場合に支持ケーブルとその物との間の剛直接続を可能にすることを特徴とする、組合体。
【請求項２】
ブラケットの第１の中央部分と第１の端部部分は互いに直角である、請求項１に記載のブラケットとケーブルクランプの組合体。
【請求項３】
ケーブルクランプは、一対のケーブルチャンネルと、各ケーブルチャンネルのためのケーブルクランプクラッチと、細長いスロットの解放開口を備えている、請求項１に記載のブラケットとケーブルクランプの組合体。
【請求項４】
ケーブルクランプの端部表面は互いに平行である、請求項１に記載のブラケットとケーブルクランプの組合体。
【請求項５】
前記組合体は、クランプの第１の端部部分と第２の中央部分からなる各対の合わせ面の１つの表面に凸部と、ケーブルクランプの各端面と各対の合わせ面の他の部材に形成された内側合わせ面を備えている、請求項１に記載のブラケットとケーブルクランプの組合体。
【請求項６】
凸部はブラケット第１の端部部分の表面と第２の中央部分の表面に形成された窪みからなり、内側表面はケーブルクランプの端部に形成されている、請求項５に記載のブラケットとケーブルクランプの組合体。
【発明の詳細な説明】
【技術分野】
【０００１】
本出願は、クラッチ型ケーブルクランプとダクトの間の剛直な接続を形成するための組合体に向けられたものであり、ここでダクトは少なくとも３つの平坦な表面によって形成された少なくとも２対の対向する角部を備え、角部は互いに１８０度未満の角度を形成しているものである。
【背景技術】
【０００２】
概して、この発明は、ケーブルを利用して平坦面とされたダクトを支持するための手段に関連し、ダクトへの接続が剛直な接続であり、ケーブルの第２端がダクトの上の固定された支持表面に接続され、これによりダクトがクラッチ型ケーブルクランプに接続されたケーブルによって高い表面から吊り下げられる。
【発明の概要】
【発明が解決しようとする課題】
【０００３】
本願発明の目的は、ケーブルクランプによって支持ケーブルがしっかりとではあるが、調整可能に接続されるより安定した接続であって、ダクトに対して剛直な接続を行う接続を提供することであり、これにより意図しない移動を回避し、あるいは接続部で発生する揺れを回避する。
【課題を解決するための手段】
【０００４】
この接続は、ケーブルの下端とダクトとの間の後に続く移動を考慮する必要無く、単にケーブル間の関係を設定するだけで、真の水平支持を成し遂げることを可能にする。
【図面の簡単な説明】
【０００５】
本願発明の例示的な、そして好ましい実施形態が以下の図面に示されている。
【図１】角度固定コネクターに剛直に固定され、ＨＶＡＣ長方形ダクトに接続されるクラッチ型ケーブルクランプを示す斜視図である。
【図１Ａ】図１の装置の正面図である。
【図１Ｂ】図１の装置の切り欠いた平面図である。
【図２】ＨＶＡＣ長方形ダクトに対するブラケット／ケーブルクランプ組合体の取付状態を示す底面斜視図である。
【図３】米国特許６,５４６,６００に記載された、本願発明に利用できるケーブルクランプの斜視図である。
【図４】図３のケーブルクランプの拡大された部分垂直断面図であり、クランプに挿入されたケーブルと共に示されている。
【図５】本願発明のアングルブラケットの例を示す斜視図であり、それがケーブルクランプに剛直に接続される前の状態である。
【図６】本願発明のアングルブラケットの他の例を示す斜視図であり、それがケーブルクランプに剛直に接続される前の状態であり、より大きな寸法のケーブル用の大きな寸法のものである。
【図７】図５のアングルブラケットを形成するために曲げることができる平板の例の平面図である。
【図８】図６のアングルブラケットを形成するために曲げることができる大きな平板の他の例の平面図である。
【発明を実施するための形態】
【０００６】
図面を参照して、以下の実施例が本願発明の好ましい実施形態を提示するが、そのような実施形態は排他的ではなく、本願発明の十分な範囲を定義している。
図１−６を参照すると、全体的に符号１４によって示されたケーブルクランプは、全体として符号１０４によって示されたアングルブラケット剛直に固定され、一方でそれは、ダクト（図２のＤを参照）の底面と側面へ剛直に固定されるようになっている。アングルブラケット１０４は、使用時に、ブラケット１０４の頂部で鉛直に延びるようにされた上面部１１３と、第１の鉛直部１１３から外側に曲げられた上部水平部材部１１５と、上部水平部１１５の遠位端部から外側に面する下部鉛直部１２０とを備え、さらにこの好ましい実施形態においては第１中央部１２０の長手方向に延びる細長いスロットである解放開口を画成する内側表面１２２を備えている。下部水平面１１０は下部鉛直面１２０から内側に曲げられ、この実施形態では上部水平面１１５と実質的に平行に延びている。
【０００７】
図示された例においては、これらの実施形態のブラケットを形成する４つの部分の各々は、実質的に相互に直角に延びており、それは図２に示されるように、ダクトＤの３つの低い側壁の並置に合致するようにされている。しかしながら、ブラケットの各部分間の角度は、吊り下げられる対象物の側壁間の角度に依存する。したがって、もし例えば、ダクトの側壁が互いに直角でなければ、部分１１５と１１３との間の角度、部分１１５および１２０との間の角度、ならびに部分１２０と１１０との間の角度は直角以外になり、それはダクトＤの側壁間の角度か、あるいは吊り下げられる他の対象物に依存し、したがって、図２に示すように、例えばダクトのそれぞれの面に対して上部鉛直面１１３と下部水平面１１０が平坦に当接できるようにする。あるいは、部分１１０の端部が吊り下げられる対象物の底面に沿って平坦に寄り添うために必要とされる角度になるように、図８のＺ線に沿って部分１１０の他の折り目を付けてもよい。
【０００８】
明瞭にする目的のために、「剛直な接続」という語句は、ケーブルのクランプされた端部とダクトの間の相対移動を防ぐ接続を意味し、且つケーブルがクランプされクランプがブラケットに接続され、対象物を吊り下げるという意味に理解されるべきである。しかしながら、「剛直な接続」は、クランプやブラケットを壊さずに、十分な力を掛けるのを壊すことができる接続をも含んでいる。
【０００９】
上部鉛直面１１３は、ダクトＤの壁へのブラケット／クランプ組合体を固定するために、機械加工されたねじやボルト、リベットあるいは他の剛直な接続手段のような剛直な接続部材が貫通するための２つ以上の穴を備えている。同様に、下部水平面１１０は、ダクトの底面に面剛直に接続するために、機械加工されたねじやボルト、リベットあるいは他の接続手段のために、プレートを通過して延びる１つ以上の穴１１１を有している。さらに、下部水平面１１０と下部鉛直面１２０との間の角度は直角として示されているが、それはダクトの表面間の角度に依存するものであり、鋭角から鈍角まで及ぶ角度があり得る。
【００１０】
ケーブルクランプ１４は、添付の図面、特に図３および４で好ましく例示されるように、本出願人が所有する米国特許６,５４６,６００（その開示内容はあたかも全体が繰り返されたかのようにここに組込まれる）に記載されているクランプである。
【００１１】
ケーブルクランプ１４は、２つの水平面１１５と１１０に示される、例えばくぼみ１１９や凸部によってアングルブラケット１０４に剛直に接続され、くぼみ１１９や凸部はクランプ１４の各端部における２つの対応する凹みあるいは（図示された）開口３０，３１に合致し、それがくぼみの凸部をつかむ内側面を提供する。あるいは、凸部がクランプ表面にあり、内側表面がブラケット部に形成されてもよい。内側表面は、表面を通って延びる開口の部分、あるいは単に表面のくぼみであってもよい。より高価ではあるが、少なくとも等しく有効で剛直な接続が、ねじ付ボルトおよびねじ付き内側面のような剛直な接続手段を利用して達成される。もちろん、永久的な剛直接続は溶接あるいは他の接続手段により達成することができる。
【００１２】
好ましいクランプは、上記の米国特許の中で示されるように、１対のケーブル通路１７、１９を有しており、その各々は各側面の表面におけるスロット開口２６を通って外に伸びるばね荷重ハンドル２８によって退避できるケーブルクランプクラッチ１８を含んでいる。図示のように、クランプ１４は本質的に平行四辺形の横断面の外部の形を有しており、中央通路１７、１９に対して平行に延びる２つの剛直な側面が互いに平行であるが、他の２つの垂直側面１４１,１４２に対しては直角ではない。これにより、クランプ開口がクランプの本体内でより中心に位置させることができる。各開口内のクランプクラッチ１８は、別のクランプクラッチと干渉せずに作動することができる。ブラケットの下部鉛直部１２０における細長いスロット１２２は、クランプ側のスロット開口２６に合致し、而して手動でハンドル２８を操作することによりクランプクラッチの退避を可能にする。クランプクラッチを退避することにより、クランプ１４のチャンネル１９を通って延びるケーブルの相対移動を可能にする。これは、ブラケットとクランプがダクト壁に固定されケーブルが通路１９に通された後に、例えば建物の天井からケーブルおよびクランプブラケットの組合体に支持されたダクトの垂直方向の調節を可能にする。
【００１３】
アングルブラケットにクランプを剛直に接続する代替方法は、例えば、溶接やクランプ本体を通って長手方向に延びる２つのスロットへのネジ接続によるものを含む。
クランプ１４およびブラケット１０４はクランプ１上の退避ハンドル２８が近接するように配置され、退避ハンドル２８はスロット１２２を通って外側に延び、ケーブルＣを解放してそれがクランプ１４を通過できるようにクラッチ１８が移動するのを可能にする。他方では、ハンドル２８が緩められた場合、クラッチ２８はクランプとケーブルの長手方向におけるどんな相対移動も防ぐようにケーブルを保持し、それにより、ダクトＤを剛直に且つ適所に保持する。一連の同一のブラケット／クランプ組合体が、その全体長さに沿ってダクトの支持を可能にするのに必要な間隔でダクト２の両側に配置されるのが望ましく、このとき間隔はダクトの重量に依存する。
【００１４】
ダクトを垂直方向に上下移動させる必要がある場合に、ハンドル、ピンすなわち突起２８を下方へ向けて移動させることが必要であるが、それは米国特許６,５４６,６００で示されるような一対のプライヤー（ペンチ）の使用によって簡単にできる。ブラケットの下部鉛直部に接触するクランプ１４の前面１４１から突出する可動突起２８は、ブラケットをケーブルに対して移動させる必要がある場合に即座の接触および移動を可能にするために、ブラケットの外部表面を越えて僅かに突出するように十分に長くあるべきである。
【００１５】
本願発明の組合体は、２つの主要な部品、すなわちクランプおよび曲げられたブラケットを組み合わせることにより容易に且つ簡単に製造され、そこで接続は、例えば、クランプ１４の２つの水平面の各々上の両側の水平面に向かって内部へ延びるくぼみ１１９,２１９によって形成されるのであり、少なくとも２つのくぼみ１１９,２１９がクランプの端部１５の対応する穴あるいはへこみへ延びるように隣接し、あるいは、凸面あるいは突起をクランプの端面１５に追加し、対応するブラケット部に開口や凹みを設けてもよい。米国特許６,５４６,６００（以下「６００」特許という）の図面を参照すると、６００特許の図１および３から、これらのクランプ１４が６００特許の図１および３の中で符号３０と３１で示された２本の追加のチャンネルを伴って製造されていることが理解されるであろう。好ましい実施例において、ブラケットの水平面中のくぼみ１１９,２１９は、クランプがブラケットの２つの水平面、すなわち表面７および１３の間に挿入された場合に、クランプへ延びるこれらの２つの追加のチャンネルの反対に隣接して置かれるようになっている。くぼみ１１９,２１９は開口へ延びて、チャンネルの開口３０および３１の内側面によって拘束される。
【００１６】
例えば図７−８に示されるように、ブラケットは、平坦なプレートから容易に製造することができる。いくつかのスロット、開口およびくぼみが図示されるようにプレートに形成される。プレートは「剛直な」ものとして説明されているが、例えば図５，６で示されるような曲がったブラケットを形成するために、十分に大きな力の使用や何回かの高温の使用によって、図示された折り曲げ線Ｗ，Ｘ，Ｙで折り曲げることができ、そこで吊り下げられる対象物は互いに直角な側面と底面とを有している。側面が直角以外の角度で隣接している場合、プレートの曲がりは、クランプと吊り下げられる物に剛直に取り付けられた場合に、部分１１０と１１４が底面および側面のそれぞれに対して平行となるのを可能にするために、対象物の角度に合致するようにされるべきである。吊り下げられた対象物の各表面が大きな角度あるいは非常に小さな角度で隣接している場合、クランプ１４によって保持されるケーブルがより高い支持表面までの隙間を持てるようにするために、ケーブルが支持点、例えば天井梁からクランプ、および／または追加の別の曲がり部へ向かう鉛直線、すなわち線Ｚに沿って延びるのを可能にするように、異なる部分、例えば、下部支持部１１０および上部水平部１１５の長さを変えることが必要である。
【００１７】
ここに説明され例示された本願発明は、支持ケーブルと吊り下げられるべき物との剛直な接続が要求される多くの状況での使用を見つけることができ、特に吊り下げられる物が実質的に平坦な側面や底面を有している場合に使用される。しかしながら、この発明の範囲は特許請求の範囲によって定義されることになっている。
【図１】
0005425787.tif 000002
【図１Ａ】
0005425787.tif 000003
【図１Ｂ】
0005425787.tif 000004
【図２】
0005425787.tif 000005
【図３】
0005425787.tif 000006
【図４】
0005425787.tif 000007
【図５】
0005425787.tif 000008
【図６】
0005425787.tif 000009
【図７】
0005425787.tif 000010
【図８】
0005425787.tif 000011